(57)【要約】【課題】組付作業性を向上するとともに怪我の防止を図ることができるコントロールボックスを提供すること。【解決手段】コントロールボックス１は、本体部３と前面パネル部５とを有している。本体部３は、ベースフレーム１１と、嵩上げフレーム１４にＣＰＵボード１２及び機器類２１を含んで構成する制御ユニット７と、後フレーム１７と、カバー１８とを備えて構成する。ベースフレーム１１には、上面に複数の取付け座１１２を形成して、ねじ手段で制御ユニットを上方から締め付ける。また、嵩上げフレーム１４は、下部支持プレート１４１と複数の上部支持プレート１４２を備え、下部支持プレート１４１にはトランス１５を横向きに配置し、上部支持プレート１４２上には、機器類支持フレーム１６及びＣＰＵボード支持フレーム１３をねじ手段によって取り付ける。【選択図】図１
0003121345.tif 000002
【実用新案登録請求の範囲】
【請求項１】
ＣＰＵボードを有する本体部と、画面表示部を有する前面パネル部と、を備えるコントロールボックスであって、
前記本体部は、ベース部と、前記ベース部から立ち上がる嵩上げ部とを備え、
前記嵩上げ部には前記ＣＰＵボード及び電気部品が装着されて、制御ユニットが構成されていることを特徴とするコントロールボックス。
【請求項２】
前記嵩上げ部には、上部支持部と下部支持部が形成され、前記下部支持部上に装着されたトランスが横向けに配置されていることを特徴とする請求項１記載のコントロールボックス。
【請求項３】
前記嵩上げ部には、前記前面パネル部を操作するスイッチの支持部が配設されていることを特徴とする請求項１又は２記載のコントロールボックス。
【請求項４】
前記スイッチは、前記前面パネル部に形成された窓に挿入可能に配置されていることを特徴とする請求項３記載のコントロールボックス。
【請求項５】
前記前面パネル部と前記本体部とは、コネクタで着脱可能に連結されていることを特徴とする請求項１，２，３又は４のいずれかに記載のコントロールボックス。
【請求項６】
前記電気部品は、ノイズを遮蔽する壁に囲まれていることを特徴とする請求項１，２，３，４又は５のいずれかに記載のコントロールボックス。
【請求項７】
前記ベース部の上面側には、前記制御ユニットを取り付けるための取付け座が配置されていることを特徴とする請求項１，２，３，４，５又は６のいずれかに記載のコントロールボックス。
【考案の詳細な説明】
【技術分野】
【０００１】
本考案は、ナットランナーでワークにボルトを締付ける際に、ねじの締付力を制御するトルクコントローラのコントロールボックスに関する。
【背景技術】
【０００２】
一般に、トルクコントローラは、例えばナットランナー等でボルトをワークに締付ける際に、所定のトルクでの締付力を制御している。従来、ナットランナーのモータを制御するトルクコントローラは、例えば、特許文献１に示すように、ソケットに装填されたボルトを設定のトルクで回転するために、モータの回転を制御している。そして、実際のトルクを計測して設定どおりのトルクで締付されているかどうかを判定しながらその制御を行うこととなっていた。このトルクコントローラのコントロールボックスは、ＣＰＵボードや各機器類が配置された本体部と、計測結果を表示する前面パネル部とを有して構成されていた。本体部には、ＣＰＵボードや各機器類が、本体部を構成するベースや取付ブラケットにねじで締結されていた。
【０００３】
従来、ＣＰＵボードや各機器類のねじ締結状態に対しては、ベース部に取り付けられるものは、ベース部の下方からねじを締め付け、またベース上に配置されるブラケットには、上方からねじを締め付けていた。
【０００４】
また、ナットランナーによってワークにボルトを締付ける際に使用されるソケットは、エアーで駆動される場合と電動で駆動される場合とが有り、電動で駆動される場合にはコントロールボックス内にトランスを装着する必要があった。このトランスは、従来、省スペース化や小パーツ化を目的とするために縦方向に配置してベースに取り付けられていた。
【特許文献１】特開平１０−３４５５５号公報
【考案の開示】
【考案が解決しようとする課題】
【０００５】
しかし、従来の組付方法では、ＣＰＵボードや各機器類を組付ける際に、上から締めたり、下から締めたりしなければならないのでコントロールボックスをひっくり返さなければならなかった。そのため、作業性が悪く手間のかかる作業になっていた。また、ベースの下方には、多くのねじが突出されることから、組付作業時に手を触れて怪我をする虞れが生じていた。
【０００６】
さらに、トランスを装着する仕様の場合、トランスを縦方向に配置することはコントロールボックスが縦方向に延びることになり重心が高くなって、組立てられたコントロールボックス自体のバランスを悪くすることとなり、怪我をしやすかった。
【課題を解決するための手段】
【０００７】
本考案は、上述の課題を解決するものであり、組付作業を容易にして生産性を向上するとともに安定性のあるトルクコントローラのコントロールボックスを提供することを目的とするものである。そのために本考案に係るコントロールボックスは以下のように構成するものである。すなわち、
請求項１記載の考案では、ＣＰＵボードを有する本体部と、画面表示部を有する前面パネル部と、を備えるコントロールボックスであって、
前記本体部は、ベース部と、前記ベース部から立ち上がる嵩上げ部とを備え、
前記嵩上げ部には前記ＣＰＵボード及び電気部品が装着されて、制御ユニットが構成されていることを特徴とするものである。
【０００８】
請求項２記載の考案では、前記嵩上げ部には、上部支持部と下部支持部が形成され、前記下部支持部上に装着されたトランスが横向けに配置されていることを特徴としている。
【０００９】
請求項３記載の考案では、前記嵩上げ部には、前記前面パネル部を操作するスイッチの支持部が配設されていることを特徴としている。
【００１０】
請求項４記載の考案では、前記スイッチは、前記前面パネル部に形成された窓に挿入可能に配置されていることを特徴としている。
【００１１】
請求項５記載の考案では、前記前面パネル部と前記本体部とは、コネクタで着脱可能に連結されていることを特徴としている。
【００１２】
請求項６記載の考案では、前記電気部品は、ノイズを遮蔽する壁に囲まれていることを特徴としている。
【００１３】
請求項７記載の考案では、前記ベース部の上面側には、前記制御ユニットを取り付けるための取付け座が配置されていることを特徴としている。
【考案の効果】
【００１４】
本考案に係るコントロールボックスによれば、嵩上げ部を配置して嵩上げ部にＣＰＵボードや各機器類を予め装着しておく。これを制御ユニットとしてベース部に装着すれば、作業中に本体部をひっくり返す必要はなく、正規の状態で組付作業を行うことができる。これによって組付作業性を向上することができる。また、トランスを装着する仕様の場合に、トランスを横向きに配置して嵩上げ部の下部支持部上に配置する。これによって、ベース部との間で行なうねじ締結を回避することができ、ベース下方にねじを突出させることがない。そのため、組付作業時にねじに触れることによる怪我を防止することができる。
【００１５】
また、このコントロールボックスの本体部側にスイッチを装着して、前面パネルと本体部とをコネクタで連結することによって、仕様の異なる前面パネル部をワンタッチ操作で容易に交換することができる。
【００１６】
また、本体部側に装着されたスイッチを前面パネル部側の一部に配置できるように形成していれば、スイッチが前面に現れることとなって、操作を容易に行なうことができる。
【考案を実施するための最良の形態】
【００１７】
次に、本考案による一形態のコントロールボックスを図面に基づいて説明する。
【００１８】
なお、図１は、実施形態のコントロールボックスの分解斜視図であり、図２は、その側面断面図、図３は、平面断面図を示している。
【００１９】
図１〜３に示すように、トルクコントローラ１は、ＣＰＵボード１２やその他の電装機器（以下、機器類２１という）を一括して収納した制御ユニット７を内蔵する本体部３と、トルク値等を表示する前面パネル部５とを備えている。
【００２０】
本体部３は、ベースフレーム１１と、制御ユニット７（ＣＰＵボード１２を支持するＣＰＵボード支持フレーム１３、ベースフレーム１１とＣＰＵボード支持板１３との間に配置される嵩上げフレーム１４、嵩上げフレーム１４上に装着されるとともに機器類２１を載置する機器類支持フレーム１６で構成）と、ベースフレーム１１にねじ締結によって装着された後フレーム１７と、制御ユニット７の上方から内部を遮蔽するように配置されたカバー１８と、を有して構成されている。
【００２１】
ベースフレーム１１には、下面側の４隅に弾性脚部１１１が配置されるとともに、図４に示すように、上面側に突出する複数の取付け座部１１２が配置されている。取付け座部１１２には、嵩上げフレーム１４を装着するための雌ねじ部１１２ａが形成されている。
【００２２】
嵩上げフレーム１４には、下部支持プレート１４１と下部支持プレート１４１の４隅から各１本ずつ立ち上がる上部支持プレート１４２とが配置されている。下部支持プレート１４１は、ベースフレーム１１の取付け座部１１２に対向する位置にねじ挿通孔１４１ａが形成されて、上方からのねじ締付けを可能としている。また下部支持プレート１４１上にはトランス１５が横向きに装着される。トランス１５は、下部支持プレート１４１の上方からねじによって締め付けられる。一方、上部支持プレート１４２は、上面が水平方向に屈曲して形成され、機器類支持フレーム１６及びＣＰＵボード支持フレーム１３を上方からねじで締付けできるようにしている。また、嵩上げフレーム１４における前面パネル部５側に配置された１本の上部支持プレート１４２Ａには、前面パネル部５側に平面を形成するスイッチ支持部１４３が配置されている。スイッチ支持部１４３にはスイッチ（漏電ブレーカ）２０が装着される。
【００２３】
機器類支持フレーム１６は平板状に形成され、上面側に機器類２１が装着される。機器類２１は、上方からねじ締めが可能に取り付けられるか、あるいは、樹脂製のクリップを上面側に突出させて取り付けるようにしている。また、左右方向（前面パネル部５側を正面としてその直交する方向）の両端部には、ＣＰＵボード支持フレーム１３とともに嵩上げフレーム１４に装着するためのねじ挿通孔１６１が形成されている。
【００２４】
なお、機器類支持フレーム１６の前面パネル部５側端部に、前方に突出する突出部１６２を形成して、例えば、前面パネル部５を操作するスイッチを支持できるようにすれば、この機器類支持フレーム１６をトランスを装着しない仕様のコントロールボックスに兼用して使用することができる。
【００２５】
ＣＰＵボード支持フレーム１３は、機器類支持フレーム１６に支持された各機器類２１を囲うように上壁部１３１と両側壁部１３２とを有して、断面略コ字状に形成されている。このＣＰＵボード支持フレーム１３は、両側壁部１３２を本体部３の左右方向に配置することによって、機器類２１からノイズを遮蔽するノイズ遮蔽壁として形成することとなる。これによって各機器類２１の誤作動を防止することができる。また、両側壁部１３２の下部はフランジ部１３３が形成され、フランジ部１３３にねじ挿通孔１３３ａが形成されている。このねじ挿通孔１３３ａは、機器類支持フレーム１６とともに嵩上げフレーム１４に取り付けるねじが挿通される。
【００２６】
さらに、ＣＰＵボード支持フレーム１３の上壁部１３１の左右方向における両端部に複数のスペーサ２２を介してＣＰＵボード１２が支持される。このスペーサ２２は、ＣＰＵボード１２とＣＰＵボード支持フレーム１３の上壁部１３１との間に隙間を有するようにそれぞれ形成されている。
【００２７】
ＣＰＵボード１２は、平面上に形成されるとともに、前面パネル部５側に雌側コネクタ１２１が取り付けられ、前面パネル部５に取り付けられた雄側コネクタ３０と係合可能に配置されている。このＣＰＵボード１２は各種の仕様に合わせて兼用できるものとして形成されている。
【００２８】
後フレーム１７は、本体部３の後部に配置するとともに、下端部の前方への突出部１７１を有してＬ字状に形成され、下部の突出部１７１をベースフレーム１１の後端部の下面側に配置して取り付けられている。後フレーム１７には、コネクタ１９等が配置され、図示しないパーソナルコンピュータに接続可能としている。
【００２９】
前面パネル部５は、図１〜２又は図５に示すように、下端部の後方への突出部２５１（図１参照）を有してＬ字状に形成したパネルフレーム２５を備え、パネルフレーム２５の表面側の下部前面に液晶シール部２６を配置し、上部に画面表示部２７を配置している。パネルフレーム２５の裏面には、表示用プリント基板２８（図1参照）を配置するとともに、本体部３の雌側コネクタ１２１に対向する雄側コネクタ３０（図２参照）が装着されている。また、パネルフレーム２５の突出部２５１は、ベースフレーム１１の前端部上面側に取り付けられている。さらに、液晶シール部２６の端部にスイッチ２０が挿入されるための開口窓３１が形成されている。
【００３０】
次に上記のように構成されたコントロールボックス１の組付手順について説明する。
【００３１】
先ず、嵩上げフレーム１４の下部支持プレート１４１上にトランス１５や図示しない電気部品等と装着し、上部支持プレート１４２上に機器類２１を装着した機器類支持フレーム１６及びＣＰＵボード１２を支持したＣＰＵボード支持フレーム１３を装着して制御ユニット７として組み付けておく。
【００３２】
そして、作業テーブル上にベースフレーム１１を載置して制御ユニット７を組み込む。この際、ベースフレーム１１の取付け座部１１２に嵩上げフレーム１４のねじ挿通孔１４１ａを対向させて、ねじを上方から締め付ける。
【００３３】
次に、後フレーム１７と前面パネル部５を装着する。後フレーム１７は、前方への下部突出部１７１をベースフレーム１１の後端部下面側に係合させてねじで下方から締め付けることによって取り付ける。また、前面パネル部５の下部突出部２５１をベースフレーム１１の前端部の上面に係合させてねじで下方から締め付けることによって取り付ける。後フレーム１７と前面パネル部５とのベースフレーム１１の取り付けは、いずれもベースフレーム１１の下方からねじを締め付けるものであるものの、本体部３をひっくり返さなくても作業を行うことができる。つまり、いずれもベースフレームの端部で行うために、作業テーブルとの間に所定の隙間を形成するかあるいは、治具を製作して組付けることが可能となる。
【００３４】
なお、前面パネル部５を本体部３に取り付ける場合には、上記のねじ締め作業の他に前面パネル部５の雄側コネクタ３０を、本体部３の雌側コネクタ１２１にワンタッチで接続することとなる。
【００３５】
そしてカバー１８を取り付けてコントロールボックス１を構成する。カバー１８の取り付けは、ベースフレーム１１の側部、及び後フレーム１７の側部、前面パネル部５の側部で横方向からねじで締め付けて行う。
【００３６】
上述のように、実施形態のコントロールボックス１では、嵩上げフレーム１４に、機器類２１を装着した機器類支持フレーム１６やＣＰＵボード１２を支持したＣＰＵボード支持フレーム１３を取り付けて、予め制御ユニット７として組み付けていることから、これをベースフレーム１１に組付けることによって、本体部３をひっくり返すことなく、そのままの状態で組付けることができる。そのため、生産性を向上することができる。
【００３７】
また、トランス１５を装着する仕様の場合、トランス１５自体を嵩上げフレーム１４に取り付けておくことができることから、トランス１５を取り付けるためにベースフレーム１１にねじを締め付ける必要がない。そのためベースフレーム１１の下面には、ねじ類を突出させないことから、コントロールボックスの組付作業の際に、それによって怪我をする虞れがない。
【００３８】
さらに、トランス１５を横向きに配置させても、嵩上げフレーム１４が下部支持プレート１４１と複数の上部支持プレート１４２とを有して構成されていることから、効率よく配置することができ、スペースの拡大を防止することができる。
【００３９】
また、ＣＰＵボード支持フレーム１３がその両側壁部１３２で機器類２１のノイズ遮蔽壁を形成していることから、機器類２１の誤作動を防止することができる。
【００４０】
しかも、スイッチ３０が本体部３側に取り付けられるとともに、前面パネル部５が本体部３にコネクタで連結されていることから、仕様の異なる前面パネル部５であっても、容易に交換することができて、効率のよいコントロールボックス１を提供することができる。
【００４１】
なお、本体部３側には、各種の前面パネル部５の仕様に合わせて、できるだけ部品の共通化をしておくことが望ましい。
【００４２】
また、本願考案のコントロールボックスは、上記の形態に限定するものではない。例えば、ベースフレームに嵩上げフレームを締結する手段としては、ねじ手段ではなくても、クランプ手段であってもよく、また、クリップ手段であってもよい。
【００４３】
また、前面パネル部の画面表示部としては、タッチパネルタイプであってもよく、また、７セグメントＬＥＤタイプであってもよい。
【００４４】
また、本体部と前面パネル部を接続するコネクタの位置は、実施形態で示された位置と異なる位置であってもよい。
【図面の簡単な説明】
【００４５】
【図１】本考案のコントロールボックスの一形態を示す分解斜視図である。
【図２】図１のコントロールボックスの側面断面図である。
【図３】図１のコントロールボックスの平面断面図である。
【図４】嵩上げフレームとその周りの一部を示す分解斜視図である。
【図５】図１のコントロールボックスの前面パネル部を示す正面図である。
【符号の説明】
【００４６】
１、コントロールボックス
３、本体部
５、前面パネル部
１１、ベースフレーム
１２、ＣＰＵボード
１２１、雌側コネクタ
１３、ＣＰＵボード支持フレーム
１３１、上壁部
１３２、側壁部
１４、嵩上げフレーム
１４１、下部支持プレート
１４２、上部支持プレート
１４３、スイッチ支持部
１５、トランス
１６、機器類支持フレーム
１７、後フレーム
１８、カバー
２０、スイッチ
２１、前面板
３０、雄側コネクタ
【図１】
0003121345.tif 000003
【図２】
0003121345.tif 000004
【図３】
0003121345.tif 000005
【図４】
0003121345.tif 000006
【図５】
0003121345.tif 000007